(57)【特許請求の範囲】
【請求項１】
設定条件を選択可能な複数の機能を有するトイレ用機器を操作するためのリモコンにおいて、
各機能で選択されている各設定条件の組み合わせのパターンをコードとして報知するコード報知手段と、
該コード報知手段を作動させる操作手段と、
を有しており、
該コード報知手段は、該操作手段が操作されたときに各機能で選択されている各設定条件の組み合わせのパターンをコードとして報知するものであり、
各機能で選択されうる設定条件に対しそれぞれ基礎コードが設定されており、
該コード報知手段は、各機能で選択されている各設定条件に対応する各基礎コードの組み合わせのパターンに応じたコードを報知することを特徴とするリモコン。
【請求項２】
請求項１において、前記コードは、数字、文字及び記号の少なくとも１種の組み合わせよりなることを特徴とするリモコン。
【請求項３】
請求項１又は２において、前記コード報知手段は前記コードを画像又は音声にて表示するものであることを特徴とするリモコン。
【請求項４】
請求項１ないし３のいずれか１項において、前記トイレ用機器に信号を送信する送信手段と、該トイレ用機器からの信号を受信する受信手段とを有しており、
該送信手段は、前記操作手段が操作されると、該トイレ用機器に向けて、該トイレ用機器で設定されている各設定条件を送信するように要求する要求信号を送信するものであり、
前記報知手段は、この送信されてきた各設定条件を報知するものであることを特徴とするリモコン。
【請求項５】
請求項１ないし４のいずれか１項において、
リモコンの前面の少なくとも一部を覆う開閉可能なカバーと、閉止された該カバーの背後側に配置されたスイッチ類と、
を有しており、
該カバーを開けると、前記コード報知手段が作動するように構成されていることを特徴とするリモコン。
【請求項６】
設定条件を選択可能な複数の機能を有するトイレ用機器において、
各機能で選択されている各設定条件の組み合わせのパターンをコードとして報知するコード報知手段と、
該コード報知手段を作動させる操作手段と、
を有しており、
該コード報知手段は、該操作手段が操作されたときに各機能で選択されている各設定条件の組み合わせのパターンをコードとして報知するものであり、
各機能で選択されうる設定条件に対しそれぞれ基礎コードが設定されており、
該コード報知手段は、各機能で選択されている各設定条件に対応する各基礎コードの組み合わせのパターンに応じたコードを報知することを特徴とするトイレ用機器。
【請求項７】
請求項６において、前記コードは、数字、文字及び記号の少なくとも１種の組み合わせよりなることを特徴とするトイレ用機器。
【請求項８】
請求項６又は７において、前記コード報知手段は前記コードを画像又は音声にて表示するものであることを特徴とするトイレ用機器。
【発明の詳細な説明】
【技術分野】
【０００１】
本発明は、設定条件を選択可能な複数の機能を有するリモコン及びトイレ用機器に係り、特にこの設定条件を報知する手段を備えたリモコン及びトイレ用機器に関する。
【背景技術】
【０００２】
各種機能を備えたトイレ用機器を操作するためのリモコンに表示画面を設け、この表示画面に各種機能の現状の設定条件を各機能ごとに個別に表示することは公知である。
【０００３】
例えば、特開２００４−３００７１１号の図１４のリモコンでは、リモコンの設定確認スイッチを押すと、総ての機能の設定状態がリモコンの表示部に発光表示される。即ち、設定確認スイッチを押すと、洗浄ノズルから噴出する温水の水勢を表す絵、冷込防止機能の切／入、おまかせ節電機能の切／入、タイマー節電機能の切／入、温水温度、洗浄ノズルの洗浄位置を表す絵等が発光表示される。
【０００４】
特開平１１−７１７９９号の図１８のリモコンには、温度表示部、ノズル位置表示部及び水勢表示部が設けられており、これら表示部の前側にカバーが設置されている。このカバーは開閉可能となっており、また、カバーのうち温度表示部及び水勢表示と対面する位置に２つの貫通孔が設けられている。このカバーが閉じた状態ではこれら温度表示部及び水勢表示が２つの貫通孔から視認可能であり、カバーを開けると３つの表示部の総てが視認可能となる。
【特許文献１】特開２００４−３００７１１号
【特許文献２】特開平１１−７１７９９号
【発明の開示】
【発明が解決しようとする課題】
【０００５】
上記の特開２００４−３００７１１号のリモコンにあっては、複数の機能の設定条件を確認したり他者に伝達したりする必要が生じた場合に、該設定条件を１つずつ確認・伝達する必要があるため、手間及び時間がかかるという問題がある。
【０００６】
例えば、トイレ用機器に不具合が生じ、使用者がメンテナンスセンターの職員に問い合わせを行うことがある。この不具合の原因としては、トイレ用機器に故障が生じた場合の他に、単に使用者が特定の機能の設定条件を不適切に設定している場合もある。（例えば、使用者が自らタイマー節電機能を「入」と設定したことを忘れ、便座や温水が暖かくならないと訴える場合などである。）この場合、職員は不具合の原因を見極めるために、使用者に複数の機能の設定条件を確認及び通知してもらう必要があり、多くの手間及び時間を要する。
【０００７】
上記の特開平１１−７１７９９号のリモコンでは３つの機能しかないため、各機能の設定条件の確認及び通知は比較的容易であるが、機能が増加した場合には、上記特開２００４−３００７１１号と同様の問題が生じる。
【０００８】
本発明は、トイレ用機器の複数の機能の設定条件の確認及び伝達が容易なリモコン及びトイレ用機器を提供することを目的とする。
【課題を解決するための手段】
【０００９】
本発明（請求項１）のリモコンは、設定条件を選択可能な複数の機能を有するトイレ用機器を操作するためのリモコンにおいて、各機能で選択されている各設定条件の組み合わせのパターンをコードとして報知するコード報知手段と、該コード報知手段を作動させる操作手段と、を有しており、該コード報知手段は、該操作手段が操作されたときに各機能で選択されている各設定条件の組み合わせのパターンをコードとして報知するものであり、各機能で選択されうる設定条件に対しそれぞれ基礎コードが設定されており、該コード報知手段は、各機能で選択されている各設定条件に対応する各基礎コードの組み合わせのパターンに応じたコードを報知することを特徴とするものである。
【００１０】
請求項２のリモコンは、請求項１において、前記コードは、数字、文字及び記号の少なくとも１種の組み合わせよりなることを特徴とする。
【００１１】
請求項３のリモコンは、請求項１又は２において、前記コード報知手段は前記コードを画像又は音声にて表示するものであることを特徴とする。
【００１２】
請求項４のリモコンは、請求項１ないし３のいずれか１項において、前記トイレ用機器に信号を送信する送信手段と、該トイレ用機器からの信号を受信する受信手段とを有しており、該送信手段は、前記操作手段が操作されると、該トイレ用機器に向けて、該トイレ用機器で設定されている各設定条件を送信するように要求する要求信号を送信するものであり、前記報知手段は、この送信されてきた各設定条件を報知するものであることを特徴とする。
【００１３】
請求項５のリモコンは、請求項１ないし４のいずれか１項において、リモコンの前面の少なくとも一部を覆う開閉可能なカバーと、閉止された該カバーの背後側に配置されたスイッチ類と、を有しており、該カバーを開けると、前記コード報知手段が作動するように構成されていることを特徴とする。
【００１４】
本発明（請求項６）のトイレ用機器は、設定条件を選択可能な複数の機能を有するトイレ用機器において、各機能で選択されている各設定条件の組み合わせのパターンをコードとして報知するコード報知手段と、該コード報知手段を作動させる操作手段と、を有しており、該コード報知手段は、該操作手段が操作されたときに各機能で選択されている各設定条件の組み合わせのパターンをコードとして報知するものであり、各機能で選択されうる設定条件に対しそれぞれ基礎コードが設定されており、該コード報知手段は、各機能で選択されている各設定条件に対応する各基礎コードの組み合わせのパターンに応じたコードを報知することを特徴とするものである。
【００１５】
請求項７のトイレ用機器は、請求項６において、前記コードは、数字の組み合わせ又は数字とアルファベットとの組み合わせよりなることを特徴とする。
【００１６】
請求項８のトイレ用機器は、請求項６又は７において、前記コード報知手段は前記コードを画像又は音声にて表示するものであることを特徴とする。
【発明の効果】
【００１７】
本発明のリモコン（請求項１）及びトイレ用機器（請求項６）にあっては、各機能で選択されている各設定条件の組み合わせのパターンをコードとして報知する。このため、このコードだけで各機能の設定条件を容易に把握することができる。また、トイレ用機器の使用者がこのコードを他者（例えば、メンテナンスセンターの職員等）に伝えるだけで、該他者は各機器の設定条件を容易に把握することができる。
【００１８】
このコードは、数字、文字及び記号の少なくとも１種の組み合わせよりなることが好ましく（請求項２、請求項７）、この場合、コードの伝達が極めて容易である。
【００１９】
本発明において、コード報知手段はコードを画像又は音声にて表示するものであることが好ましい（請求項３、請求項８）。
【００２０】
請求項４のリモコンは、トイレ用機器に信号を送信する送信手段と、該トイレ用機器からの信号を受信する受信手段とを有しており、該送信手段は、操作手段が操作されると、該トイレ用機器に向けて、該トイレ用機器で設定されている各設定条件を送信するように要求する要求信号を送信するものであり、報知手段は、この送信されてきた各設定条件を報知するものである。この場合、使用者は操作手段を操作した時点での各設定条件を確実に把握することができる。
【００２１】
請求項５のリモコンは、リモコンの前面の少なくとも一部を覆う開閉可能なカバーと、閉止された該カバーの背後側に配置されたスイッチ類と、を有しており、該カバーを開けると、コード報知手段が作動するように構成されている。このため、カバーを開けるだけで使用者はコードを知ることができる。
【発明を実施するための最良の形態】
【００２２】
以下、図面を参照して本発明の好適な形態について説明する。第１図は実施の形態に用いられるトイレ用機器及びリモコンが設置されたトイレルームの斜視図、第２図（ａ）はリモコンの平面図、第２図（ｂ）はリモコンの正面図、第３図はリモコンの前蓋を開けた状態の正面図である。
【００２３】
本実施形態のトイレ用機器は、第１図に示すように、洋風水洗式便器に組み込まれている。この洋風水洗式便器では洋風便器本体１の後部に便座ボックス２が設置され、該便座ボックス２には、便座３及び便蓋４が回動可能に取り付けられている。便座３には着座センサ及び便座用ヒータが設けられている。
【００２４】
この便座ボックス２の内部には、便座着座者の臀部を温水で洗浄するための温水洗浄装置（図示略）の洗浄ノズル５と、洋風便器本体１を使用する者を検知するための人体検知センサ６と、音声装置（図示略）のスピーカ７が設けられている。便座ボックス２の側面には手動式フラッシュハンドル８が設けられている。
【００２５】
図示は省略するが、便座ボックス２内には、臀部乾燥用温風ファン、脱臭装置、足元及び便鉢内を照らす照明装置、トイレルーム内にプラスイオンとマイナスイオンとを放出するイオン発生器、トイレルーム内を暖房する暖房装置、トイレ用機器の電源のＯＮ−ＯＦＦ切替を行うメイン電源スイッチ等が設けられている。この便座ボックス２は、昇降装置（図示略）によって洋風便器本体１の上面から浮上可能とされている。
【００２６】
洋風便器本体１のトラップ部の外周面には、凍結防止用ヒータ（図示略）が設けられている。
【００２７】
トイレルームの壁面に設置されたリモコン２０の前面下部に設けられた前蓋２１には、第２図の通り、おしり洗浄用のおしりスイッチ（パワフルスイッチ）２２及びマイルドスイッチ２３、ビデスイッチ２４、濡れた臀部に温風を吹き付けて乾燥させるための乾燥スイッチ２５、洗浄及び乾燥停止用の止スイッチ２６、洗浄強さ調節スイッチ２７、洗浄位置調節スイッチ２８、ターボ脱臭スイッチ２９、マッサージスイッチ３０及び電源スイッチ３１が設けられている。
【００２８】
おしりスイッチ（パワフルスイッチ）２２を押すと、洗浄ノズル５から比較的高流速にて温水が噴出し、臀部が力強く洗浄される。マイルドスイッチ２３を押すと、洗浄ノズル５から比較的低流速にて温水が噴出し、臀部がソフトに洗浄される。これらおしりスイッチ２２及びマイルドスイッチ２３は、もう１回押すと洗浄ノズル５が前後に動いて広い範囲が洗浄され（ワイルドモード）、さらにもう１回押すとこの前後移動が停止する。
【００２９】
ビデスイッチ２４についても、該ビデスイッチ２４を１回押すと洗浄ノズル５から温水が噴出し、もう１回押すと洗浄ノズル５が前後に動き（ワイルドモード）、さらにもう１回押すとノズル５の前後移動がさらに大きくなり（スーパーモード）、さらにもう１回押すとこの前後移動が停止する。
【００３０】
おしり洗浄、マイルド洗浄及びビデ洗浄の洗浄強さは、洗浄強さ調節スイッチ２７の操作によって調節可能である。また、おしり洗浄、マイルド洗浄及びビデ洗浄の際における洗浄ノズル５の前後位置は、洗浄位置調節スイッチ２８の操作によって調節可能である。
【００３１】
乾燥スイッチ２５は、これを１回押すと比較的高温の温風が吹き出し、もう１回押すと中温の温風となり、さらにもう１回押すと比較的低温の温風となり、以下同様に「高」、「中」、「低」と切り替わる。止スイッチ２６を押すと、上述の洗浄や乾燥（温風吹出）動作が停止する。なお、この実施の形態では、洗浄は開始２分後に自動的に停止し、乾燥は開始４分後に自動的に停止するセルフストップ機構が採用されている。
【００３２】
ターボ脱臭スイッチ２９を押すと、脱臭装置が作動して便鉢内の臭気を脱臭し、もう１回押すと脱臭装置が停止する。
【００３３】
マイルド洗浄時及びビデ洗浄時にマッサージスイッチ３０を押すと、洗浄ノズル５から高流速の温水と低流速の温水が交互に噴出する。
【００３４】
電源スイッチ３１を押すと、リモコン２０全体の電源の入／切が切り替わる。
【００３５】
リモコン２０の前面の上部中央には、液晶パネル等よりなる表示画面４０が設けられている。この表示画面４０には、時刻表示部４１、リモコン２０からの信号光が便座ボックス２に向けて出力されていることを示すための表示部４２、洗浄ノズル５から噴出する温水の水勢の表示部４３、乾燥用温風の温度表示部４４、節電モードとなっているか否かを表示する節電表示部４５、暖房装置の入／切を表示する暖房表示部４６、凍結防止用ヒータの入／切を表示する凍結防止表示部４７、リモコン２０の電池残量を表示する電池残量表示部４８が設けられている。
【００３６】
リモコン２０の上部には、便座３を電動装置によって開閉させるための便座開閉スイッチ５０、便器本体１を大洗浄するための大フラッシュスイッチ５１及び小洗浄するための小フラッシュスイッチ５２が設けられている。
【００３７】
前蓋２１を開けて操作するスイッチについて第３図を参照して説明する。なお、この前蓋２１は、左右両側に設けられたヒンジ部５５，５６によりリモコン２０の本体側に対し上下方向回動可能に取り付けられている。前蓋２１上の各スイッチ２２〜３１からの信号は、ハーネス５７を介してリモコン内部の回路に送られる。
【００３８】
前蓋２１を開けることにより露出するスイッチエリア６０の左端側は、音声装置の操作エリアとなっている。この操作エリアの中央には、液晶パネル等よりなる表示画面６１が設けられている。この表示画面６１よりも上側には、音声再生スイッチ６２、スキップスイッチ６３及びリバーススイッチ６４が設けられている。この表示画面６１よりも下側には、音量スイッチ６５及びモード切替スイッチ６６が設けられている。
【００３９】
このモード切替スイッチ６６を押すと、音声装置が記憶している複数の曲のうち１曲を繰り返し再生する１曲リピートモード、全曲を順番に繰り返し再生する全曲リピートモード、全曲をランダムに再生するランダムモード、朝及び夜の時間帯に朝専用曲及び夜専用曲を再生する専用曲モード等のモード切替が行われる。前記着座センサが着座を検知すると、各モードに従ってスピーカ７から曲が再生され、着座を検知しなくなってから所定時間経過後に、曲の再生が停止する。
【００４０】
音声装置の操作エリアの右側には、時刻合わせ用の「時」スイッチ７０及び「分」スイッチ７１、温水洗浄装置の温水温度設定スイッチ７２、便座温度設定スイッチ７３、温水温度及び便座温度の設定条件を表示する液晶等よりなる表示画面７４が設けられている。本実施の形態では、これら温水温度及び便座温度は５段階に設定可能となっている。
【００４１】
スイッチエリア６０の右半側の上部には、ノズル掃除スイッチ８０、足許及び便鉢内の照明の入／切スイッチ８１、本体掃除スイッチ８２、前記イオン発生器を作動させる快適イオンスイッチ８３、呼び出しスイッチ８４が設けられている。
【００４２】
なお、ノズル掃除スイッチ８０を押すと、洗浄ノズル５がその収納部内に収納されたまま約５秒間該ノズル５に水が注ぎかけられ、ノズル５が水洗いされる。本体掃除スイッチ８２は、これを１回押すと昇降装置が便座ボックス２を浮上させ、もう１回押すと昇降装置が便座ボックス２を元の位置に下降させる。
【００４３】
スイッチエリア６０の右半側の下部には、ワンタッチ節電スイッチ９０、スーパー節電スイッチ９１、自動洗浄スイッチ９２、フルオート便座スイッチ９３、前記暖房装置を作動させる暖房温度スイッチ９４、冷込防止スイッチ９５が設けられている。また、スイッチエリア６０の右半側の中央には、これらスイッチ９０〜９３，９５の入／切及びスイッチ９４の切／低温／高温を表示するための、液晶等よりなる表示画面９６が設けられている。
【００４４】
ワンタッチ節電スイッチ９０を押すと、押してから８時間の間、温水用ヒータ及び便座用ヒータが切電された後、給電されて設定温度に戻る。
【００４５】
スーパー節電スイッチ９１を押すと、便蓋４が閉じている間は便座用ヒータ及び温水用ヒータが省エネ温度とされる。
【００４６】
自動洗浄スイッチ９２を押して自動洗浄モードにすると、着座センサが着座を検知した後に離座を検知したときに、便鉢内が自動的に洗浄される。
【００４７】
フルオート便座スイッチ９３を押してフルオート便座モードとすると、人体検知センサ６が人体を感知したときに便蓋４が自動的に開き、人体を感知しなくなると便蓋４が自動的に閉まる。
【００４８】
冷込防止スイッチ９５を押すと、トイレルーム内の室温が４℃以下になったときに前記暖房装置を作動させて、室温を５℃に保つ。
【００４９】
前記呼び出しスイッチ８４の右側に、コード報知スイッチ９７が設けられている。このコード報知スイッチ９７を押すと、トイレ用機器の各機能で選択されている各設定条件の組み合わせがコードとして表示画面４０に表示される。
【００５０】
次に、このコード報知スイッチ９７について詳細に説明する。
【００５１】
［コード表記方法］  
先ず、コードの表記方法について説明する。
【００５２】
第４図は以下に説明するコード表記方法に従って作成されたコード表であり、第５図は表示画面４０にコード表示された状態を示す図面である。
【００５３】
なお、本コード表記方法では、スイッチエリア６０の右半側に配置された１１個のスイッチ（即ち、スイッチ８０〜８４、９０〜９５）と、前記トイレ用機器のメイン電源スイッチよりなる合計１２個のスイッチの設定条件の組み合わせをコードとして表示する。また、数字０〜９及びアルファベットａ〜ｆの合計１６文字を用い、４桁の文字としてコード表示を行う。
【００５４】
第１の桁（左端の桁）では、スイッチ８０〜８３の４個のスイッチの設定条件の組み合わせのパターンを表示する。
【００５５】
スイッチ８０〜８３の４個のスイッチの各々は、第１モード（「切」モード又は「下」モード）及び第２モード（「入」モード又は「上」モード）の２つのモードを有している。このため、これら４個のスイッチのモードの組み合わせは合計１６パターン（２４パターン）である。これら１６個のパターンの各々に上記１６個の文字の各々を対応させたものを、コードの第１の桁に表示する。
【００５６】
例えば、これら４個のスイッチの総てが第１モードである場合の文字を０、スイッチ８３のみが第２モードである場合の文字を１、スイッチ８２のみが第２モードである場合の文字を２、スイッチ８２，８３が第２モードである場合の文字を３、…、４個のスイッチの総てが第２モードである場合の文字をｆとする。
【００５７】
第２の桁（左から２番目の桁）では、スイッチ８４、９０〜９２の４個のスイッチの設定条件の組み合わせのパターンを表示する。
【００５８】
スイッチ８４、９０〜９２の４個のスイッチの各々も２つのモードを有しているため、各スイッチのモードの組み合わせは合計１６パターンである。従って、第１の桁と同様にして、１６個のパターンに上記１６個の文字を対応させたものを、コードの第２の桁に表示する。
【００５９】
第３の桁（左から３番目の桁）では、スイッチ９３，９５及び前記メイン電源スイッチの合計３個のスイッチの設定条件の組み合わせのパターンを表示する。
【００６０】
スイッチ９３，９５及び前記メイン電源スイッチは、入／切の２つのモードを有しているため、これらのスイッチ９３，９５及びメイン電源スイッチのモードの組み合わせは合計８パターンである。従って、８個のパターンに上記８個の文字を対応させたものを、コードの第３の桁に表示する。
【００６１】
例えば、スイッチ９３，９５及びメイン電源スイッチが「切」に対応する文字を０、メイン電源スイッチが「入」かつスイッチ９３，９５が「切」に対応する文字を１、スイッチ９５が「入」かつスイッチ９３及びメイン電源スイッチが「切」に対応する文字を２、…、スイッチ９３，９５及びメイン電源スイッチが「入」に対応する文字を７とする。
【００６２】
暖房温度スイッチ９４は、切／低温／高温の３つのモードを有している。これらのモードに対応する文字を０，１，２とし、コードの第４の桁（右端の桁）に表示する。
【００６３】
このように、これらスイッチ８０〜８４、９０〜９５及びメイン電源スイッチの設定条件が、４桁のコードとして表示される。
【００６４】
［コード報知スイッチ９７を押したときの動作］
次に、コード報知スイッチ９７を押したときの動作について説明する。
【００６５】
コード報知スイッチ９７を押すと、リモコン２０から便座ボックス２に向けて、トイレ用機器で設定されている各設定条件を送信するように要求する要求信号が送信される。この送信信号に基づき、便座ボックス２からリモコン２０に向けて、トイレ用機器で設定されている各設定条件が送信される。そして、この送信された各設定条件が、表示画面４０の右上（節電表示部４５及び凍結防止表示部４７に相当する位置）に、コード１００（第５図）として表示される。
【００６６】
例えば、これらスイッチエリア６０の右半側のスイッチ（スイッチ８０〜８４、９０〜９５）のうち、ワンタッチ節電スイッチ９０のみを「入」とし、他のスイッチを「切」及び「下」と設定している場合には、コードは「０５００」となる。このため、第５図に示す通り、このコード「０５００」が表示画面４０の右上に表示される。
【００６７】
上記実施の形態によると、トイレ用機器の各設定条件がコードとして表示されるため、このコードだけで各機能の設定条件を容易に把握することができる。また、トイレ用機器の使用者がこのコードを他者（例えば、メンテナンスセンターの職員等。）に伝えるだけで、該他者は各機器の設定条件を容易に把握することができる。
【００６８】
例えば、上記のように、上記１２個のスイッチ（スイッチエリア６０の右半側のスイッチ８０〜８４、９０〜９５及びメイン電源スイッチ）のうちのワンタッチ節電スイッチ９０が「入」であるときには、温水用ヒータ及び便座用ヒータへの給電が停止されている。このため、使用者が温水用ヒータ及び便座用ヒータに故障が生じたと思い込み、メンテナンスセンターの職員に修理の要請を行うことがある。ここで、職員が使用者に対し、コード報知スイッチ９７を押してコード（「０５００」）を確認・通知するように促す。職員がこのコードに対応する設定条件を第４図のコード表等によって確認することにより、ワンタッチ節電スイッチ９０が「入」になっていることが不具合の原因であることが把握される。
【００６９】
上記実施の形態では、スイッチ８０〜８４、９０〜９５及びメイン電源スイッチの設定条件の組み合わせのパターンをコードとして表示しているが、これらの組み合わせのパターンに限定されるものではないことは当然である。例えば、これらスイッチ８０〜８４、９０〜９５及びメイン電源スイッチの一部の設定条件の組み合わせのパターンをコード表示しても良く、他のスイッチ２２〜３１，５０〜５２，６２〜６６，７０〜７３の一部又は全部の設定条件の組み合わせのパターンをコード表示しても良い。例えば、便座温度スイッチ７３、洗浄強さスイッチ２７、乾燥スイッチ２５の情報もコード表示するようにしても良い。これらスイッチの他に異なるスイッチを設け、それらをコード表示するようにしても良い。
【００７０】
上記実施の形態において、複数個のスイッチを同時に押すことにより、トイレ用機器の設定条件を設定することができるようにしても良い（隠しモードによる設定）。例えば、ワンタッチ節電スイッチ９０と冷込防止スイッチ９５を同時に押すことにより、便器自動洗浄における洗浄時間を設定可能なモードとなり、このモードにおいて時スイッチ７０ないし分スイッチ７１を操作することにより、該洗浄時間を調整することができるようにしても良い。また、この隠しモードにおける設定条件をコード表示するようにしても良い。
【００７１】
上記実施の形態ではコードを表示画面４０に表示したが、表示画面４０，６１，９６の１個又は２個以上に表示しても良い。また、コードの画面表示に代えて又は画面表示と共に、便座ボックス２内のスピーカ７やリモコン２０に設置したスピーカからコードを音声として報知させるようにしてもよい。
【００７２】
本実施の形態では１６文字を用いた４桁の文字としてコード表示したが、これに限定されるものではない。例えば、数字のみ又はアルファベットのみで表示してもよく、機能の増減に合わせて桁数を増減させてもよい。
【００７３】
本実施の形態では便座ボックス２に機能の操作部を設けなかったが、便座ボックス２に操作部を設け、該操作部にコード報知スイッチと、表示画面や音声装置等の報知手段を設けても良い。この場合、リモコン２０を省略しても良い。
【００７４】
本実施の形態において、前蓋２１を開いたときに、コードが表示画面４０に表示されるようにしても良い。
【図面の簡単な説明】
【００７５】
【図１】実施の形態に用いられるトイレ用機器及びリモコンが設置されたトイレルームの斜視図である。
【図２】（ａ）はリモコンの平面図、（ｂ）はリモコンの正面図である。
【図３】リモコンの前蓋を開けた状態の正面図である。
【図４】コード表を示す図である。
【図５】コードを表示画面４０に表示した状態を示す図である。
【符号の説明】
【００７６】
１  便器本体
２  便座ボックス
３  便座
４  便蓋
５  洗浄ノズル
７  スピーカ
２０  リモコン
２１  前蓋
２２〜３１  スイッチ
４０  表示画面
５０〜５２  スイッチ
６０  スイッチエリア
６１  表示画面
６２〜６６  スイッチ
７０〜７３  スイッチ
７４  表示画面
８０〜８４  スイッチ
９０〜９５  スイッチ
９６  表示画面
９７  コード報知スイッチ
【図１】
0005407136.tif 000002
【図２】
0005407136.tif 000003
【図３】
0005407136.tif 000004
【図４】
0005407136.tif 000005
【図５】
0005407136.tif 000006